(57)【要約】      （修正有）【課題】従来より払出装置全体の小型化を図ることができる遊技機を提供する。【解決手段】本発明のパチンコ遊技機では、払出装置のスクリュー８０が、誘導樋６１に形成された樋側部貫通孔６２Ｃを通して誘導樋６１内に突入し、誘導樋６１の一内側面である樋内堰止側面７１Ｍと協働して遊技球を堰き止める。そして、そのスクリュー８０には、流下圧力を樋内堰止側面側７１Ｍに逃がすように傾斜した当接傾斜面８４Ｍが備えられている。【選択図】図４
2019093212.tif 000002
【特許請求の範囲】
【請求項１】
遊技球を下方に向けて案内する誘導樋と、
前記誘導樋の下端部に設けられ、通常は前記誘導樋を流下してくる遊技球を堰き止めると共に、予め定められた所定の払出条件の成立に起因して所定個数の遊技球を通過させて遊技者に払い出す払出装置とを備えた遊技機において、
前記払出装置には、電気的駆動源と、前記誘導樋に形成された樋側部貫通孔を通して前記誘導樋内に突入し、前記誘導樋の一内側面である樋内堰止側面と協働して遊技球を堰き止めると共に前記電気的駆動源にて駆動されてその駆動量に応じた数の遊技球を通過させる堰止部材とが備えられ、
前記誘導樋のうち、前記堰止部材と前記樋内堰止側面との間の一内側面には、前記樋内堰止側面側から前記堰止部材側に向かう遊技球と当接可能な樋内突部が前記樋内堰止側面と略平行に延びるように設けられている遊技機。
【発明の詳細な説明】
【技術分野】
【０００１】
本発明は、遊技球を下方に向けて案内する誘導樋の下端部に備えた払出装置にて遊技球を堰き止め、所定の払出条件の成立に起因して払出装置が所定個数の遊技球を通過させて遊技者に払い出す遊技機に関する。
【背景技術】
【０００２】
従来、この種の遊技機として、払出装置において、円盤の外周面に複数の球受容凹部を有する堰止部材を、上下方向に延びた誘導樋の途中に配置して備えたものが知られている。この遊技機では、通常は、誘導樋内の遊技球群を堰止部材の外周面で受け止め、所定の払出条件の成立に起因して堰止部材が回転駆動され、順次、遊技球が球受容凹部に受容されて堰止部材の下方へと送られるようになっている（例えば、特許文献１参照）。
【先行技術文献】
【特許文献】
【０００３】
【特許文献１】特開２０１１−１１０４２号公報（図７、図１２）
【発明の概要】
【発明が解決しようとする課題】
【０００４】
しかしながら、上記した従来の遊技機では、遊技球群の流下圧力に堰止部材が耐え得る強度を確保するために堰止部材及びその支持部が大きくなり、払出装置全体も大きくなっていた。
【０００５】
本発明は、上記事情に鑑みてなされたもので、従来より払出装置を小さくすることが可能な遊技機の提供を目的とする。
【課題を解決するための手段】
【０００６】
上記目的を達成するためになされた請求項１の発明は、遊技球を下方に向けて案内する誘導樋と、前記誘導樋の下端部に設けられ、通常は前記誘導樋を流下してくる遊技球を堰き止めると共に、予め定められた所定の払出条件の成立に起因して所定個数の遊技球を通過させて遊技者に払い出す払出装置とを備えた遊技機において、前記払出装置には、電気的駆動源と、前記誘導樋に形成された樋側部貫通孔を通して前記誘導樋内に突入し、前記誘導樋の一内側面である樋内堰止側面と協働して遊技球を堰き止めると共に前記電気的駆動源にて駆動されてその駆動量に応じた数の遊技球を通過させる堰止部材とが備えられ、前記誘導樋のうち、前記堰止部材と前記樋内堰止側面との間の一内側面には、前記樋内堰止側面側から前記堰止部材側に向かう遊技球と当接可能な樋内突部が前記樋内堰止側面と略平行に延びるように設けられている遊技機である。
【発明の効果】
【０００７】
請求項１の遊技機によれば、払出装置全体の小型化を図ることができる。
【図面の簡単な説明】
【０００８】
【図１】本発明の一実施形態に係るパチンコ遊技機の正面図
【図２】パチンコ遊技機の背面図
【図３】払出装置の分解図
【図４】閉位置における払出装置の断面図
【図５】開位置における払出装置の断面図
【図６】払出装置の側断面図
【図７】払出装置の斜視図
【図８】払出装置の平断面図
【図９】閉位置における払出装置の断面図
【図１０】開位置における払出装置の断面図
【発明を実施するための形態】
【０００９】
［第１実施形態］
以下、本発明の一実施形態のパチンコ遊技機１０（本発明の「遊技機」に相当する）を図１〜図１０に基づいて説明する。図１に示すように、パチンコ遊技機１０は、前面が前面枠１０Ｚに覆われており、その前面枠１０Ｚに形成されたガラス窓１０Ｗを通して遊技盤１１の遊技領域Ｒ１が視認可能となっている。
【００１０】
ガラス窓１０Ｗの下方には、上皿２６と下皿２７とが上下２段に並べて配置されている。パチンコ遊技機１０の前面に向かって上皿２６の右側方には、上皿２６に貯留された遊技球を下皿２７に排出する球抜きボタン２６Ａが備えられている。下皿２７の右側方には、図示しない、所謂、ドル箱に遊技球を排出する球排出ボタン２７Ａが備えられると共に、球貸し状態表示モニタ２７Ｂ及び球貸し操作ボタン２７Ｃが備えられている。また、下皿２７の左側方には、操作ボタン２８Ａが備えられている。さらに、パチンコ遊技機１０の前面のうち、右下角部には操作ノブ２８Ｂが備えられている。操作ノブ２８Ｂを操作すると、上皿２６に貯留された遊技球が、順次、遊技領域Ｒ１へと弾き出される。
【００１１】
遊技領域Ｒ１は略円形状となっていて、ガイドレール１２により囲まれている。遊技盤１１のうち遊技領域Ｒ１の中央には、遊技盤表示窓１１Ｗが貫通形成され、遊技盤表示窓１１Ｗを通して液晶表示装置２４の液晶画面２４Ｇが前方に臨んでいる。
【００１２】
遊技盤表示窓１１Ｗの開口縁には、表示装飾枠２３が取り付けられている。表示装飾枠２３は、遊技盤１１の前面側から遊技盤表示窓１１Ｗに嵌め込まれて遊技盤１１の前面から突出し、遊技領域Ｒ１を流下する遊技球が表示装飾枠２３の内側に進入することを規制している。
【００１３】
遊技領域Ｒ１のうち表示装飾枠２３の下方における左右方向の中央部には、始動入賞口１４Ａ，１４Ｂ、大入賞口１５、アウト口１６が上から順に並べて配置され、大入賞口１５の左右両側にはガイドレール１２に沿って複数の一般入賞口２０が配置されている。遊技領域Ｒ１を流下した遊技球が始動入賞口１４Ａ，１４Ｂの何れかに入球すると当否判定が行われて、その当否判定結果が液晶画面２４Ｇにて表示される。そして、当否判定結果が当りになると、複数ラウンドに亘って所定期間（例えば、１０秒）、大入賞口１５に遊技球が入賞可能となり、これにより大入賞口１５に多くの遊技球が入球する。これら入賞口１４Ａ，１４Ｂ，１５，２０に遊技球が入球すると、パチンコ遊技機１０の裏側に備えられた払出装置５０から所定個数（例えば、１球入球に付き、一般入賞口２０では１個、始動入賞口１４Ａ，１４Ｂでは４個、大入賞口１５で１０個）の遊技球が上皿２６に払い出される。なお、これら入賞口１４Ａ，１４Ｂ，１５，２０の何れにも入球しなかった遊技球は、アウト口１６に取り込まれ、遊技盤１１の下方に備えられた図示しないダクトからパチンコ遊技機１０が設置された遊技ホールの遊技球循環システムに送られる。
【００１４】
以下に、遊技球循環システムから供給された遊技球の払い出しに関する構成を説明する。なお、以下の説明においては、特記しない限り、「右側」とは、パチンコ遊技機１０を裏側から見たときの「右側」をいい、その反対を「左側」ということとする。
【００１５】
図２に示すように、パチンコ遊技機１０の裏側には、遊技球循環システムから供給された遊技球を貯留する貯留タンク３０と、貯留タンク３０に貯留された遊技球群を１列１段に整列して右辺部まで案内する傾斜樋３１と、傾斜樋３１により右辺部まで案内された遊技球を下方へ案内する１列構造の誘導樋６１とが備えられている。
【００１６】
誘導樋６１の下端部には払出装置５０が配置されていて、払出条件が成立すると、払出装置５０により所定個数の遊技球が払い出される。そして、払出装置５０に払い出された遊技球は、払出装置５０の下方に設けられ、誘導樋６１の下端部と連結した案内流路４５を通過して上皿２６又は下皿２７へと案内される。なお、誘導樋６１は、パチンコ遊技機１０の右側辺部に配置されたケース体４０Ｋ内の流路と、払出装置５０内の装置内流路６１Ｒとから構成されている。また、誘導樋６１の中間位置には、誘導樋６１内を流下する遊技球の有無を検知する検知センサ４０が備えられ、遊技球の有無及び遊技球同士に長い間隔が生じているか否かを払出装置５０に伝達可能となっている。
【００１７】
以下、払出装置５０について詳細を説明する。
【００１８】
図３に示すように、払出装置５０は、縦方向に長い矩形状の装置ケース６０と、装置ケース６０の裏側（図３における手前側）を覆う装置カバー９０とを備えている。このうち装置ケース６０には、誘導樋６１の一部である装置内流路６１Ｒと、誘導樋６１から分岐して遊技球をパチンコ遊技機１０から排出可能な球抜樋６４とが形成されている。
【００１９】
詳細には、装置ケース６０は、互いに平行になってパチンコ遊技機１０の前後方向で遊技球１つ分の間隔をあけて対向する１対の主平板部６０Ａ，６０Ｂ（本発明の「平坦対向壁」に相当する）と、１対の主平板部６０Ａ，６０Ｂのうち図３における奥側の奥側主平板６０Ａから図３における手前側の手前側主平板６０Ｂに向かって起立し、それら主平板部６０Ａ，６０Ｂの対向方向と直交する方向で遊技球１つ分の間隔をあけて対向する第１及び第２の湾曲対向壁６２，６３（本発明の「樋仕切壁」に相当する）とを有している。これら第１及び第２の湾曲対向壁６２，６３に挟まれた部分が、遊技球が１列になって流下する装置内流路６１Ｒとなっている。
【００２０】
図４に示すように、第１及び第２の湾曲対向壁６２，６３にはその上部に、それぞれ上下方向に直線状に延びて対向する１対の上部直線部６２Ａ，６３Ａが形成されている。また、左方の第１湾曲対向壁６２には、上部直線部６２Ａの下端部から第２湾曲対向壁６３から離れる側に屈曲しかつ外側に膨らむ放物線状をなした第１湾曲ガイド部６２Ｂが形成され、右方の第２湾曲対向壁６３には、上部直線部６３Ａの下端部から下方に向かうに従って徐々に第１湾曲対向壁６２側に接近しかつ外側に膨らむように湾曲する第２湾曲ガイド部６３Ｂが備えられている。
【００２１】
第１湾曲対向壁６２のうち第１湾曲ガイド部６２Ｂの下方には、第１湾曲ガイド部６２Ｂの下端部から遊技球１．５〜２．５球分離れた位置から下方に延びた下部ガイド部６２Ｅが設けられ、第２湾曲対向壁６３のうち第２湾曲ガイド部６３Ｂの下方には、第２湾曲ガイド部６３Ｂの下端部から遊技球３〜５球分離れた位置から下方に延びた下部ガイド部６３Ｅが設けられている。下部ガイド部６２Ｅ，６３Ｅは遊技球１つ分の間隔で互いに対向していて、これらの間は、払い出しが確定した遊技球を案内流路４５に誘導する払出領域６１Ｈとなっている。なお、払出領域６１Ｈには、払出領域６１Ｈを流下する遊技球の個数をカウントする遊技球カウントセンサ９５が設けられている。
【００２２】
第２湾曲対向壁６３における第２湾曲ガイド部６３Ｂと下部ガイド部６３Ｅとの間は、本発明の球抜孔６３Ｃとなっている。この球抜孔６３Ｃには、球抜孔６３Ｃを開閉可能な球抜扉部材７１と補助扉部材７２とが上下に並んで配置されていて、球抜孔６３Ｃのうち下側の補助扉部材７２によって開閉される部分が本発明の下側拡張部６３Ｄに相当する。また、上述した球抜樋６４は、これら球抜孔６３Ｃから右下方へ延びている。
【００２３】
上側の球抜扉部材７１は、その上端部に設けられた回動支持孔７１Ａに、奥側主平板６０Ａのうち第２湾曲ガイド部６３Ｂの下方から突出する回動支持軸７３Ｊが挿通されて、図４に示される閉位置と図５に示される開位置との間を回動可能になっている。球抜扉部材７１はその左側面が平坦な樋内堰止側面７１Ｍとなっている。この樋内堰止側面７１Ｍは、図４に示す閉位置に配されている状態（以下、適宜、「閉塞状態」という）では、やや左下がりに傾斜している。また、球抜扉部材７１のうち、樋内堰止側面７１Ｍと反対側の側面には図４に示す閉塞状態で鉛直方向に延びた係合側面７１Ｎ（本発明の「第１係合部」に相当する）が形成されている。
【００２４】
下側の補助扉部材７２は、その下端部に設けられた補助回動支持孔７２Ａに、第２湾曲対向壁６３の下部ガイド部６３Ｅの上方から突出する補助扉回転支持軸７３Ｈが挿通されて、図４に示される閉位置と図５に示される開位置との間を回動可能になっている。補助扉部材７２には、図４に示す閉塞状態においてその回動軸から上方へ延びて下側拡張部６３Ｄを閉塞するブロック体７２Ｂと、ブロック体７２Ｂの後面に配されてその下端部分から球抜樋６４側に延びる回動板７２Ｋと、回動板７２Ｋのうちブロック体７２Ｂと反対側の端部に設けられて後方に突出した係合ピン７２Ｐ（本発明の「第２係合部」に相当する）とが備えられている。なお、手前側主平板６０Ｂには、図３に示すように、扇状の補助孔６８Ｂが形成されていて、補助扉部材７２は、ブロック体７２Ｂが手前側主平板６０Ｂの前方（図３における奥側）に、回動板７２Ｋが手前側主平板６０Ｂの後方（図３における手前側）にそれぞれ配されるように、補助孔６８Ｂを挿通している。
【００２５】
これら球抜扉部材７１と補助扉部材７２とは、連動部材７５によって開閉操作可能になっている。図３に示すように、連動部材７５は、縦方向に長い矩形状のプレート部７５Ｐを有し、手前側主平板６０Ｂと装置カバー９０との間に上下動可能に保持されている。連動部材７５のプレート部７５Ｐには、上下方向の中央部から奥側に突出する係合突片７５Ｔ（本発明の「第１被係合部」に相当する）が設けられると共に、下端部に貫通形成された逆Ｌ字状の係合孔７５Ａ（本発明の「第２被係合部」に相当する）が設けられている。また、連動部材７５のプレート部７５Ｐのうち後面（図３における手前側面）の中央部には摘み部７６（本発明の「操作部」に相当する）が設けられていて、装置カバー９０には摘み部７６を露出させる操作孔９０Ａが形成されている。なお、手前側主平板６０Ｂには、連動部材７５の係合突片７５Ｔを手前側主平板６０Ｂの前方へ突出させるための縦長矩形状の補助孔６８Ａが形成されている。
【００２６】
連動部材７５は、通常時は図４に示す下端位置に配されている。このとき、連動部材７５の係合突片７５Ｔが球抜扉部材７１の係合側面７１Ｎに球抜樋６４側から当接して、球抜扉部材７１の球抜樋６４側への回動を規制する。また、補助扉部材７２の係合ピン７２Ｐが連動部材７５の係合孔７５Ａの右上端部に位置決めされて、ブロック体７２Ｂが起立状態に保持される（図９参照）。つまり、連動部材７５が下端位置に配されているときは、球抜扉部材７１と補助扉部材７２とが閉塞状態に保持される。
【００２７】
そして、連動部材７５が上方へ移動すると、係合突片７５Ｔが上方に移動して、係合突片７５Ｔと球抜扉部材７１の係合側面７１Ｎとの係合が解除され、球抜扉部材７１が開位置へ回動可能になると共に、補助扉部材７２の係合ピン７２Ｐが係合孔７５Ａによって上方に押されるように回動することで補助扉部材７２が誘導樋６１側に倒れて閉位置に移動する。なお、このときの球抜扉部材７１と補助扉部材７２との状態を、適宜、「開放状態」という。
【００２８】
図４に示すように、装置ケース６０のうち第１湾曲対向壁６２の左方部は、本発明の「堰止部材」に相当するスクリュー８０と、スクリュー８０の駆動源であるステッピングモータ８１（本発明の「電気的駆動源」・「モータ」に相当する）とを収容する収容部６６となっている。収容部６６は、第１湾曲ガイド部６２Ｂの上端部近傍から左方に向かってやや左上がりに延びたモータ仕切壁６５Ｓによって、上収容部６６Ｋ（本発明の「駆動源収容部」に相当する）と下収容部６６Ｄとに区画されている。そして、上収容部６６Ｋにステッピングモータ８１が収容されると共に、下収容部６６Ｄにスクリュー８０が収容されている。
【００２９】
ステッピングモータ８１は円筒状をなし、その下端部から張り出す支持部８１Ｓが装置ケース６０の支持凹部６６Ｓ（図３参照）に挿通されることで、払出装置５０に固定されている。また、ステッピングモータ８１の中央位置からは、ステッピングモータ８１に駆動されて回転する回転支持軸８３が垂下している。なお、モータ仕切壁６５Ｓには半円状の切り欠き部６６Ｈが形成され、この切り欠き部６６Ｈには回転支持軸８３が配置される。
【００３０】
図４に示すように、スクリュー８０は、円柱状の回転シャフト８４Ａから螺旋ブレード８４Ｂが張り出した堰止部８４と、回転シャフト８４Ａよりも小径で、堰止部８４の上端位置から上方に突出する円柱部８５とを備え、中心に回転支持軸８３が挿入されて固定されている。
【００３１】
スクリュー８０の堰止部８４は、第１湾曲対向壁６２における第１湾曲ガイド部６２Ｂと下部ガイド部６２Ｅとの間の樋側部貫通孔６２Ｃから誘導樋６１内に突出している。この堰止部８４の螺旋ブレード８４Ｂは、反時計回りに下るように傾斜すると共に、下方に向かうにつれ側方への張り出しが大きくなるように形成されている。螺旋ブレード８２Ｂのうち誘導樋６１側に突出する部分と、閉塞状態の球抜扉部材７１の樋内堰止側面７１Ｍと、の間は遊技球の幅よりも狭くなっていて、スクリュー８０の停止時は、堰止部８４の螺旋ブレード８４Ｂと閉塞状態の球抜扉部材７１の樋内堰止側面７１Ｍとの間に遊技球が堰き止められる。そして、スクリュー８０が回転駆動されると螺旋ブレード８４Ｂの回転に沿って遊技球が下方へ移動して払出領域６１Ｈへ落下する。なお、本実施形態の払出装置５０では、スクリュー８０が１回転すると１つの遊技球が流下する。
【００３２】
図３に示すように、装置ケース６０のうち手前側主平板６０Ｂには、外側に膨出してステッピングモータ８１の一側面を受容する膨出受容部６６Ａと、同じく外側に膨出してスクリュー８０の一側面を受容する堰止受容部６６Ｂとが形成されている。これにより、装置ケース６０全体を大きくせずに済む。さらに、ステッピングモータ８１を覆う膨出受容部６６Ａには複数の放熱孔６６Ｃが貫通形成されていて、ステッピングモータ８１の加熱異常が防がれる。また、図６に示すように、装置カバー９０及び手前側主平板６０Ｂには手前側主平板６０Ｂにおける膨出受容部６６Ａと堰止受容部６６Ｂとの間に螺子孔６７，９４が貫通形成されている。この螺子孔６７，９４に調整螺子９６を螺合してその先端部をスクリュー８０の円柱部８５に当接させることで、払出装置５０の外部から装置ケース６０内のスクリュー８０の傾きを調整することができる。
【００３３】
さて、上述したように、払出装置５０はスクリュー８０と球抜扉部材７１との間で遊技球を堰き止める構成となっている。ここで、本実施形態のパチンコ遊技機１０では、スクリュー８０における螺旋ブレード８４Ｂの上面が、遊技球の流下圧力を樋内堰止側面７１Ｍ側に逃がすように傾斜した当接傾斜面８４Ｍとなっている。また、スクリュー８０の中心軸は樋内堰止側面７１Ｍと略平行で且つ重力方向に対して傾斜し、スクリュー８０が樋内堰止側面７１Ｍに対して斜め上方から対向するように配置されている。
【００３４】
また、図７に示すように、誘導樋６１のうち第１、第２の湾曲ガイド部６２Ｂ，６３Ｂより下方部分には、奥側主平板６０Ａの一部が内側に隆起して上下方向に延びた突条の樋内突部６５が形成されている。図８に示すように、樋内突部６５は、誘導樋６１のうち、球抜孔６３Ｃ寄り位置からスクリュー８０側に向かうに従って内側に近づくように傾斜する傾斜面６５Ｍと、傾斜面６５Ｍのうちスクリュー８０側の端部からスクリュー８０側に延びる平坦面６５Ｈとを有している。また、この樋内突部６５の稜線は重力方向に対して傾斜すると共に、樋内堰止側面７１Ｍに対して斜め上方から対向するように配置されている。
【００３５】
本実施形態のパチンコ遊技機１０の構成に関する説明は以上である。次に、このパチンコ遊技機１０の作用効果について説明する。
【００３６】
遊技球循環システムから供給された遊技球群は、傾斜樋３１により１列１段に整列されて誘導樋６１へ導入され、払出装置５０へ案内される。本実施形態では、誘導樋６１が１列構造をなしているので、パチンコ遊技機１０の裏面側における部品の配置スペースを広くすることができる。また、払出装置５０の小型化が図られる。
【００３７】
パチンコ遊技機１０の稼働中は、連動部材７５が下端位置に配置され、球抜扉部材７１及び補助扉部材７２が閉塞状態となっている。そして、通常時は、ステッピングモータ８１が停止していて、誘導樋６１内の遊技球のうち最下端の遊技球がスクリュー８０の螺旋ブレード８２Ｂと球抜扉部材７１との間に保持されて堰き止められている。
【００３８】
所定の払出条件（各種入賞口１４Ａ，１４Ｂ，１５，２０への遊技球の入賞又は球貸し操作ボタン２７Ｃの操作）が成立すると、ステッピングモータ８１によりスクリュー８０が回転駆動され、所定個数の遊技球を払出領域６１Ｈへと流下させる。このとき、螺旋ブレード８２Ｂは、遊技球の流下方向の下流側に向かうほど回転シャフト８４Ａからの張り出し量が大きくなっているので、隣合った遊技球同士の間に螺旋ブレード８２Ｂをスムーズに入り込ませることができる。また、払出装置５０の上流には、誘導樋６１内を流下する遊技球の有無を検知する検知センサが備えられているため、球切れが起こった場合又は遊技球同士の間に大きな間隔が生じている場合にステッピングモータ８１を停止することができる。
【００３９】
所定個数の遊技球が払い出されると、ステッピングモータ８１が停止して払い出しを終了する。そして、再び、誘導樋６１内の遊技球のうち最下端の遊技球が、スクリュー８０と球抜扉部材７１との間に保持されて堰き止められる。
【００４０】
ここで、本実施形態のパチンコ遊技機１０では、螺旋ブレード８２Ｂの当接傾斜面８４Ｍが最下端に位置する遊技球の流下圧力を樋内堰止側面７１Ｍ側に逃がすように傾斜しているので、スクリュー８０に対する遊技球群の流下圧力の負担が従来より軽減される。これにより、スクリュー８０及びそのスクリュー８０の支持部を従来より小さくすることができ、払出装置５０全体の小型化が図られる。
【００４１】
また、スクリュー８０が傾斜して樋内堰止側７１Ｍ面に対して斜め上方から対向しているので、遊技球に係る重力の負担をスクリュー８０よりも樋内堰止側面７１Ｍに大きくかけることができ、スクリュー８０への負担がより軽減される。さらに、誘導樋６１のうちスクリュー８０の上方部分が第１と第２の湾曲ガイド部６２Ｂ，６３Ｂにより屈曲しているので、その屈曲部分で遊技球の流下圧力が受け止められてスクリュー８０への負担がより軽減される。
【００４２】
また、誘導樋６１のうち第１と第２の湾曲ガイド部６２Ｂ，６３Ｂより下方部分には、内側に突出した樋内突部６５が設けられているので、樋内堰止側面７１Ｍ側からスクリュー８０側に向けて流下する遊技球が樋内突部６５に当接してその勢いが緩和され、スクリュー８０にかかる負担をより軽減することができる。さらに、樋内突部６５には外側に膨らむように湾曲した傾斜面６５Ｍが形成されているので、スクリュー８０側に向けて流下する遊技球の勢いを抑制しつつも、遊技球を樋内突部６５にスムーズに乗り上げさせることができる。また、樋内突部６５が樋内堰止側面７１Ｍに対して斜め上方から対向するように延びているので、遊技球の流下圧力を樋内堰止側面７１Ｍに大きくかけることが可能となる。これにより、スクリュー８０への流下圧力の負担がより抑制される。
【００４３】
ところで、パチンコ遊技機１０の裏面の掃除や、パチンコ遊技機１０の移動を行うときには、パチンコ遊技機１０内の遊技球を全て抜き出す必要がある。このとき、作業者は連動部材７５を下端位置から上端位置へ移動させることで、球抜きを行うことができる。詳細には、スクリュー８０と球抜扉部材７１の樋内堰止側面７１Ｍとの間に遊技球が堰き止められた状態で連動部材７５を上方へ移動させると、球抜扉部材７１が回動可能となると共に補助扉部材７２が誘導樋６１側に倒れて払出領域６１Ｈを塞ぐため、堰き止められていた遊技球が球抜扉部材７１を球抜樋６４側に押し込んで補助扉部材７２上に落下し、球抜孔６３Ｃを通過して球抜樋６４へと案内される。そして、誘導樋６１に連なっている遊技球群が連続して球抜樋６４へと排出される。なお、球抜樋６４に進入した遊技球は、図示しないダクトに回収されて遊技球循環システムに送られる。
【００４４】
このように、本実施形態では、連動部材７５を操作して球抜扉部材７１と補助扉部材７２とを一度に開閉することができる。これにより、球抜孔６３Ｃが一度に閉状態から開状態へと変更されるので、球抜き作業を効率良く行うことができる。また、球抜孔６３Ｃは、スクリュー８０と球抜扉部材７１とで保持する最下端の遊技球よりも下方で開放するので、最下端で保持されていた遊技球を含め全ての遊技球を球抜樋６４へと流下させることができる。
【００４５】
また、誘導樋６１には樋内突部６５が形成されているので、球抜孔６３Ｃが開放されると、誘導樋６１を流下する遊技球は傾斜面６５Ｍを伝ってスムーズに球抜孔６３Ｃ側へと案内される。なお、補助扉部材７２は、遊技球を検出する球検出センサ５４よりも上方で誘導樋６１を閉塞しているので、球抜きを行うときに、それらの遊技球の誤検出を防ぐことが可能となり、遊技球数の管理データに悪影響を及ぼすことがない。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）上記実施形態では、本発明の「堰止部材」がスクリュー８０であったが、所謂、スプロケットであってもよい。スプロケットは円盤状の回転体から複数の翼片が等間隔に張り出した構造をなし、各翼片には樋内堰止側面側に遊技球の流下圧力を逃がすように傾斜した当接傾斜面が形成されている。なお、スプロケットと翼片とで遊技球を保持したとき、その翼片の下端部が回転体の中心よりも下方に配置されることが望ましい。これにより、回転体にかかる遊技球の流下押圧を抑えることが可能となる。
【００４８】
（２）上記実施形態では、球抜孔６３Ｃを球抜扉部材７１と補助扉部材７２との２つの部材で開閉していたが、１つの部材で開閉してもよい。
【００４９】
（３）上記実施形態では、樋内堰止側面７１Ｍが球抜扉部材７１の一側面に形成されていたが、樋内堰止側面が第２湾曲対向壁６３の一部に形成されていてもよい。
【００５０】
（４）上記実施形態では、樋内突部６５に傾斜面６５Ｍが備えられていたが、傾斜面を備えない構成としてもよい。
【００５１】
（５）上記実施形態では、樋内突部６５は奥側主平板６０Ａが隆起して形成されていたが、奥側主平板の内側面に樋内突部を取りつける構成としてもよい。
【００５２】
（６）上記実施形態では、調整螺子９６は円柱部８５のうちスクリュー８０の回転中心と対向する位置で当接したが、調整螺子を円柱部のうち堰止部材回の回転中心軸とずらした位置で当接させてもよい。この構成にすれば、誘導樋に突出する螺旋ブレードの張り出し量を調節することができる。
なお、上記実施形態及び他の実施形態（１）〜（６）には、以下の［１］〜［１８］の構成が含まれている。
［１］
遊技球を下方に向けて案内する誘導樋と、
前記誘導樋の下端部に設けられ、通常は前記誘導樋を流下してくる遊技球を堰き止めると共に、予め定められた所定の払出条件の成立に起因して所定個数の遊技球を通過させて遊技者に払い出す払出装置とを備えた遊技機において、
前記払出装置には、電気的駆動源と、前記誘導樋に形成された樋側部貫通孔を通して前記誘導樋内に突入し、前記誘導樋の一内側面である樋内堰止側面と協働して遊技球を堰き止めると共に前記電気的駆動源にて駆動されてその駆動量に応じた数の遊技球を通過させる堰止部材とが備えられ、
前記堰止部材には、堰き止めた遊技球の流下圧力を前記樋内堰止側面側に逃がすように遊技球の流下方向に対して傾斜した当接傾斜面が備えられている遊技機。
［１］の遊技機では、払出装置の堰止部材が、誘導樋に形成された樋側部貫通孔を通して誘導樋内に突入し、誘導樋の一内側面である樋内堰止側面と協働して遊技球を堰き止める。そして、その堰止部材には、流下圧力を樋内堰止側面側に逃がすように傾斜した当接傾斜面が備えられているので、堰止部材に対する遊技球群の流下圧力の負担が従来より軽減される。これにより、堰止部材及びその堰止部材の支持部を従来より小さくして、払出装置全体の小型化を図ることができる。
［２］
前記誘導樋は、複数の遊技球を１列に並べて流下させる１列構造をなしている［１］に記載の遊技機。
［２］の遊技機では、誘導樋が、複数の遊技球を１列に並べて流下させる１列構造をなしているので、このことによっても払出装置の小型化が図られる。
［３］
前記誘導樋は、前記堰止部材に対して前記樋内堰止側面の斜め上方から遊技球を向かわせるように案内し、
前記誘導樋のうち、前記堰止部材と前記樋内堰止側面との間の一内側面には、前記樋内堰止側面側から前記堰止部材側に向かう遊技球と当接可能な樋内突部が形成されている［１］又は［２］に記載の遊技機。
［３］の構成によれば、誘導樋には樋内突部が突出しているので、樋内堰止側面側から堰止部材側に向かって流下する遊技球と樋内突部とが当接することで、遊技球の勢いを緩和することが可能となる。これにより、堰止部材にかかる負担を軽減することが可能になると考えられる。
［４］
前記樋内突部は、前記誘導樋に沿って延びる断面形状が略台形の突条をなし、
前記樋内堰止側面側から前記堰止部材側に向かうに従って内側に近づくように傾斜すると共に、前記樋内堰止側面側から前記堰止部材側に向かう遊技球と当接可能な傾斜面を有する［３］に記載の遊技機。
［４］の遊技機では、樋内堰止側面側から流下する遊技球が傾斜面を伝い樋内突部へと乗り上がることが可能となる。  ［５］
前記傾斜面が、外側に膨らむように湾曲している［４］に記載の遊技機。
さらに、［５］の構成によれば、傾斜面が外側に膨らむように湾曲しているので、堰止部材側へと流下する遊技球の勢いをそぎつつ、樋内突部をスムーズに乗り上げることが可能となる。
［６］
前記樋内突部の稜線は、重力方向に対して傾斜すると共に、前記樋内堰止側面に対して斜め上方から対向するように配置されている［４］又は［５］に記載の遊技機。
［６］の構成によれば、樋内突部が樋内堰止側面に対して斜め上方から対向するように延びているので、遊技球の流下圧力を樋内堰止側面に大きくかけることが可能となる。これにより、堰止部材への流下圧力の負担を抑制することが可能となる。
［７］
前記堰止部材は、回転シャフトから螺旋ブレードが張り出した構造をなしかつ前記電気的駆動源としてのモータにて回転駆動されるスクリューであり、
前記螺旋ブレードが前記樋側部貫通孔を通して前記誘導樋の内部に張り出しかつ前記回転シャフトが遊技球の流下方向に沿った状態に配置されて、前記螺旋ブレードに前記当接斜面が形成されている［１］乃至［６］の何れか１に記載の遊技機。
［７］の遊技機では、堰止部材は、回転シャフトから螺旋ブレードが張り出した構造の堰止部材であり、螺旋ブレードが樋側部貫通孔を通して誘導樋の内部に張り出しかつ回転シャフトが遊技球の流下方向に沿った状態に配置されるので、誘導樋の側方から堰止部材が大きく張り出すことが抑えられ、払出装置がコンパクトになる。
［８］
前記樋内堰止側面及び前記スクリューの回転軸が互いに略平行でかつ重力方向に対して傾斜し、前記スクリューが前記樋内堰止側面に対して斜め上方から対向している［７］に記載の遊技機。
［８］の遊技機では、樋内堰止側面及び堰止部材の回転軸が互いに略平行でかつ重力方向に対して傾斜し、堰止部材が樋内堰止側面に対して斜め上方から対向していることで、遊技球に係る重力の負担も堰止部材より樋内堰止側面が大きくなる。
［９］
遊技球の流下方向の下流側に向かうほど、前記スクリューの回転中心からの前記螺旋ブレードの張り出し量が大きくなっている［７］又は［８］に記載の遊技機。
［９］の遊技機では、遊技球の流下方向の下流側に向かうほど、スクリューの回転中心からの螺旋ブレードの張り出し量が大きくなっているので、隣合った遊技球同士の件に螺旋ブレードをスムーズに入り込ませることができる。
［１０］
前記払出装置には、互いに平行になって略水平方向で遊技球１つ分の間隔を空けて対向する１対の平坦対向壁と、前記１対の平坦対向壁の対向方向と略直交する方向で遊技球１つ分の間隔を空けて対向し、少なくとも一部が湾曲した第１及び第２の湾曲対向壁とから構成される払出誘導樋が前記誘導樋の一部として備えられ、
前記第１及び第２の湾曲対向壁には、上下方向に直線状に延びて対向した１対の上部直線部と、前記第１湾曲対向壁の前記上部直線部の下端から前記第２湾曲対向壁から離れる側に屈曲しかつ外側に膨らむ放物線状をなした第１湾曲ガイド部と、前記第２湾曲対向壁の前記上部直線部の下端から下方に向かうに従って徐々に第１湾曲対向壁側に接近しかつ外側に膨らむように湾曲すると共に略水平方向で前記第１湾曲ガイド部に対向した第２湾曲ガイド部と、前記第２湾曲ガイド部の下端部から下方に屈曲して延びた下部ガイド部とが備えられ、
前記第１湾曲対向壁における前記第１湾曲ガイド部の下隣に前記樋側部貫通孔が配置されている［７］乃至［９］の何れか１に記載の遊技機。
［１０］の遊技機では、払出装置に、１対の平坦対向壁と、第１及び第２の湾曲対向壁とから構成される誘導樋の一部としての払出誘導樋が備えられている。そして、第１及び第２の湾曲対向壁に備えた第１と第２の湾曲ガイド部によって払出誘導樋の中間部分が屈曲し、その屈曲部分で流下圧力が受け止められて堰止部材への負担が軽減される。また、遊技球が流下する際には、第１及び第２の湾曲対向壁の１対の上部直線部の間を通過した遊技球が第２湾曲ガイド部の外側に膨らんだ曲面に案内されて第１湾曲ガイド部に向かい、その第１湾曲ガイド部の外側に膨らんだ曲面に案内されて下方に向かう。これにより、遊技球がスムーズに流れる。
［１１］
前記払出装置には、互いに平行になって略水平方向で遊技球１つ分の間隔を空けて対向する１対の主平板部と、前記１対の主平板部の間に挟まれて、それら主平板部の対向方向と略直交する方向で遊技球１つ分の間隔を空けて対向する１対の樋仕切壁とを有する装置ケースが備えられて、前記装置ケース内の前記誘導樋が、前記１対の主平板部の一部と前記１対の樋仕切壁とで構成されると共に、前記装置ケース内のうち前記誘導樋の一側方に前記モータ及び前記スクリューを収容する駆動源収容部が備えられている［７］乃至［１０］の何れか１に記載の遊技機。
［１１］の遊技機では、１列構造の誘導樋を内部に備えた装置ケースのその誘導樋の一側方にモータ及び堰止部材を収容する駆動源収容部が備えられているので、払出装置全体がコンパクトになる。
［１２］
前記回転シャフトは、片持ち状態で回転可能に支持されると共に、軸方向の一部に前記螺旋ブレードを有しない円柱部を備え、
前記払出装置には、一方の前記主平板部における前記円柱部との対向位置に形成された螺子孔と、前記螺子孔に螺合し、前記装置ケースの外部から螺合操作されて先端部が前記円柱部に摺接可能に当接した調整螺子とが備えられている［１１］に記載の遊技機。
［１２］の遊技機では、装置ケースの外部から装置ケース内の堰止部材の傾きを調整することができる。
［１３］
一方の前記主平板部の一部を外側に膨出させてなり、前記モータの一側部を受容した膨出受容部と、
前記膨出受容部に貫通形成された放熱孔とを備えた［１１］又は［１２］に記載の遊技機。
［１３］の遊技機では、装置ケースの一部を外側に膨出させてモータの一側部を受容する膨出受容部を設けたので、装置ケース全体を大きくせずに済む。また、膨出受容部に放熱孔を形成したことで、モータの加熱異常を防ぐことができる。
［１４］
前記誘導樋のうち前記樋内堰止側面を有する部分を球抜扉部材として分離し、前記払出装置にて堰き止められた遊技球を排出するための球抜孔を形成し、
前記球抜扉部材が、前記球抜孔を閉塞する閉位置と、前記球抜孔を開放する開位置とに移動可能に支持されている［１］乃至［１３］の何れか１に記載の遊技機。
［１４］の遊技機では、誘導樋のうち遊技球の流下圧力がかかる樋内堰止側面を有する部分に球抜孔を形成して球抜扉部材で開閉可能としたので、球抜孔を開いたときには遊技球がスムーズに排出され、球抜き作業を効率良く行うことができる。
［１５］
前記誘導樋のうち前記閉位置の前記球抜扉部材より下方部分を補助扉部材として分離して、前記球抜孔に下方に拡張された下側拡張部を設け、
前記補助扉部材が、前記球抜孔の下端部近傍に回動可能に支持され、前記球抜孔の前記下側拡張部を閉塞する補助閉位置と、前記補助閉位置より前記誘導樋の内側に回動して前記球抜孔の前記下側拡張部を開放しかつ前記誘導樋を前記球抜孔より下方で遮蔽して前記誘導樋内の遊技球を前記球抜孔へと案内する補助開位置とに移動する［１４］に記載の遊技機。
［１５］の遊技機では、球抜孔が閉位置の球抜扉部材より下方に拡張されて下側拡張部が形成され、球抜孔の下端部近傍に回動可能に支持された補助扉部材が通常は補助閉位置に配置されて下側拡張部が閉塞されている。そして、補助扉部材が補助開位置まで回動すると、下側拡張部が開放されると共に、補助扉部材が誘導樋を球抜孔より下方で遮蔽して誘導樋内の遊技球を球抜孔へと案内する。これにより、より一層、球抜き作業を効率良く行うことができる。
［１６］
前記補助扉部材が前記閉位置に配置されているときに前記球抜扉部材を前記閉位置に配置し、前記補助扉部材が前記開位置に配置されているときに前記球抜扉部材を前記開位置に配置可能となるように、前記球抜扉部材と前記補助扉部材とを連動させる連動部材と、
前記連動部材を操作するための操作部とを備えた［１５］に記載の遊技機。
［１７］
前記連動部材は、上下動可能に支持され、
前記球抜扉部材に設けられて前記球抜扉部材が前記閉位置から前記開位置に移動するときに上方に向かって移動する第１係合部と、
前記補助扉部材に設けられて前記補助扉部材が前記補助閉位置から前記補助開位置に移動するときに上方に向かって移動する第２係合部と、
前記連動部材に形成されて前記第１係合部が係合する第１被係合部と、
前記連動部材に形成されて前記第２係合部が係合する第２被係合部とを備えた［１６］に記載の遊技機。
［１６］及び［１７］の遊技機では、操作部にて連動部材を操作して球抜扉部材と補助扉部材とを一度に開閉することができる。これにより、球抜孔を下側拡張部も含めて一度に閉状態から開状態へと変更して、球抜き作業を効率良く行うことができる。
［１８］
前記堰止部材が前記樋内堰止側面との間に遊技球を保持可能な位置で停止するように、前記堰止部材の駆動量が制御されている［１］乃至［１７］の何れか１に記載の遊技機。
［１８］の構成によれば、堰止部材が樋内堰止側面との間に遊技球を保持可能な位置で停止するように制御されているので、堰止部材が停止したときに遊技球が払い出されることを低減することができる。
【符号の説明】
【００５３】
１０    パチンコ遊技機
１１    遊技盤
１３    機構板
２６    上皿
５０    払出装置
６０    装置ケース
６０Ａ    奥側主平板
６０Ｂ    表側主平板
６１    誘導樋
６２    第１湾曲対向壁
６３    第２湾曲対向壁
６２Ｃ    樋側部貫通孔
６３Ｃ    球抜孔
６５    樋内突部
７１    球抜扉部材
７１Ｍ    樋内堰止側面
７２    補助扉部材
８０    堰止部材
８１    ステッピングモータ
８２    スクリュー
８４Ｍ    当接傾斜面
【図１】
2019093212.tif 000003
【図２】
2019093212.tif 000004
【図３】
2019093212.tif 000005
【図４】
2019093212.tif 000006
【図５】
2019093212.tif 000007
【図６】
2019093212.tif 000008
【図７】
2019093212.tif 000009
【図８】
2019093212.tif 000010
【図９】
2019093212.tif 000011
【図１０】
2019093212.tif 000012